(57)【要約】  スケジューリングノード（１１０）は、サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信（１１０）する。ＳＰＳ設定メッセージ（２１０）は無線ノード（１０５）の識別子を含み、無線ノード（１０５）に対するリソース割当てを繰り返すサブサブフレーム（８２）のパターンを指示する。無線ノード（１０５）はＳＰＳ設定メッセージ（２１０）を受信し、当該ＳＰＳ設定メッセージ（２１０）にしたがってサブサブフレームベースのＳＰＳ用に無線ノード（１０５）を設定する。  【選択図】図５
2019533963.tif 000002
【特許請求の範囲】
【請求項１】
スケジューリングノード（１１０）によって実施される送信スケジューリングの方法（３００）であって、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信すること（３２０）を含み、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示することを特徴とする方法。
【請求項２】
請求項１に記載の方法であって、サブサブフレームベースのＳＰＳ用に前記無線ノード（１０５）を設定することは、サブフレームベースのリソース割当てが更なるパターンに従って繰り返すサブフレームベースのＳＰＳと同時に、前記無線ノード（１０５）をサブサブフレームベースのＳＰＳ用に設定することを含むことを特徴とする方法。
【請求項３】
請求項１または２に記載の方法であって、前記ＳＰＳ設定メッセージ（２１０）は、前記無線ノード（１０５）に、前記リソース割当て間の任意の重複に関して、前記無線ノード（１０５）の前記リソース割当てまたはサブフレームベースのリソース割当てのいずれかを優先するよう命令することを特徴とする方法。
【請求項４】
請求項１から３のいずれか１項に記載の方法であって、前記ＳＰＳ設定メッセージ（２１０）はさらに、前記リソース割当てを繰り返すサブサブフレーム（８２）の前記パターンを指示する期間をさらに含むことを特徴とする方法。
【請求項５】
請求項１から４のいずれか１項に記載の方法であって、特定のサブサブフレーム（８２）上でのデータ送信（２４０）に対応するハイブリッド自動再送要求（ＨＡＲＱ）プロセス識別子を判定することをさらに含み、前記ＨＡＲＱプロセス識別子を判定することは、構成サブフレーム（６２）内の前記特定のサブサブフレーム（８２）の位置に基づくことを特徴とする方法。
【請求項６】
請求項５に記載の方法であって、前記構成サブフレーム（６２）内に前記特定のサブサブフレーム（８２）の前記位置に基づいて前記ＨＡＲＱプロセス識別子を判定することは、前記ＨＡＲＱプロセス識別子を、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
に従って判定することを含み、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓは前記サブフレーム（６２）内のサブサブフレーム（８２）の数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造（６０）内の前記サブフレーム（６２）のインデックスであり、
ｓｓｆ＿ｐｏｓは前記サブフレーム（６２）内の前記特定のサブサブフレーム（８２）のインデックスであることを特徴とする方法。
【請求項７】
請求項１から６のいずれか１項に記載の方法であって、ショート物理ダウンリンク制御チャネル（ｓＰＤＣＣＨ）のサブサブフレーム（８２）上で前記無線ノード（１０５）にＨＡＲＱフィードバックを送信することをさらに含み、前記フィードバックは前記無線ノード（１０５）の前記識別子に宛てられ、１にセットされた新たなデータインジケータをさらに含むことを特徴とする方法。
【請求項８】
請求項１から７のいずれか１項に記載の方法であって、前記無線ノード（１０５）に前記ＳＰＳ設定メッセージ（２１０）にしたがってサブサブフレームベースＳＰＳ用のＳＰＳをアクティブ化するよう命令するＳＰＳアクティブ化メッセージ（２２０）を、前記無線ノード（１０５）に送信することをさらに含み、前記ＳＰＳアクティブ化メッセージ（２２０）は前記無線ノード（１０５）の前記識別子に宛てられた前記リソース割当てを含むことを特徴とする方法。
【請求項９】
請求項８に記載の方法であって、前記ＳＰＳアクティブ化メッセージ（２２０）は前記無線ノード（１０５）にＳＰＳがアクティブ化されたサブサブフレーム（８２）の開始または後続でＳＰＳアクティブ化メッセージ（２２０）の肯定応答を送信するようさらに命令し、前記方法はさらに前記ＳＰＳアクティブ化メッセージ（２２０）にしたがってメディアアクセス制御（ＭＡＣ）制御エレメントで前記ＳＰＳアクティブ化メッセージ（２２０）の前記肯定応答を受信することをさらに含むことを特徴とする方法。
【請求項１０】
請求項９に記載の方法であって、前記ＳＰＳアクティブ化メッセージ（２２０）の前記肯定応答を受信することは、サブフレーム（６２）の物理アップリンク共有チャネル（ＰＵＳＣＨ）を介してＭＡＣ制御エレメントを受信することを含むことを特徴とする方法。
【請求項１１】
スケジューリングノード（１１０）であって、
プロセッサ（５１０）およびメモリ（５２０）を含み、前記メモリ（５２０）は前記プロセッサによって実行可能な命令を含み、それによって前記スケジューリングノード（１１０）は、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信（３２０）するよう動作し、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示する、ことを特徴とするスケジューリングノード（１１０）。
【請求項１２】
請求項２から１０のいずれか１項に記載の方法を実行するよう構成される請求項１１に記載のスケジューリングノード。
【請求項１３】
スケジューリングノード（１１０）であって、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信（３２０）するよう設定され、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示する、ことを特徴とするスケジューリングノード（１１０）。
【請求項１４】
請求項２から１０のいずれか１項に記載の方法を実行するよう設定される請求項１３に記載のスケジューリングノード。
【請求項１５】
スケジューリングノード（１１０）であって、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信（３２０）するよう設定される送信モジュール（６２０）を有し、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示する、ことを特徴とするスケジューリングノード（１１０）。
【請求項１６】
請求項２から１０のいずれか１項に記載の方法を実行するよう設定される請求項１５に記載のスケジューリングノード。
【請求項１７】
無線ノード（１０５）によって実施される送信スケジューリングの方法（４００）であって、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信すること（４１０）と、
前記ＳＰＳ設定メッセージ（２１０）にしたがってサブサブフレームベースのＳＰＳ用に無線ノード（１０５）を設定すること（４２０）と、を含むことを特徴とする方法。
【請求項１８】
請求項１７に記載の方法であって、サブサブフレームベースのＳＰＳ用に前記無線ノード（１０５）を設定することは、サブフレームベースのリソース割当てが更なるパターンに従って繰り返すサブフレームベースのＳＰＳと同時に、前記無線ノード（１０５）をサブサブフレームベースのＳＰＳ用に設定することを含むことを特徴とする方法。
【請求項１９】
請求項１７または１８に記載の方法であって、前記ＳＰＳ設定メッセージ（２１０）は、前記無線ノード（１０５）に、前記リソース割当て間の任意の重複に関して、前記無線ノード（１０５）の前記リソース割当てまたはサブフレームベースのリソース割当てのいずれかを優先するよう命令することを特徴とする方法。
【請求項２０】
請求項１７から１９のいずれか１項に記載の方法であって、前記ＳＰＳ設定メッセージ（２１０）はさらに、前記リソース割当てを繰り返すサブサブフレーム（８２）の前記パターンを指示する期間をさらに含むことを特徴とする方法。
【請求項２１】
請求項１７から２０のいずれか１項に記載の方法であって、特定のサブサブフレーム（８２）上でのデータ送信（２４０）に対応するハイブリッド自動再送要求（ＨＡＲＱ）プロセス識別子を判定することをさらに含み、前記ＨＡＲＱプロセス識別子を判定することは、構成サブフレーム（６２）内の前記特定のサブサブフレーム（８２）の位置に基づくことを特徴とする方法。
【請求項２２】
請求項２１に記載の方法であって、前記構成サブフレーム（６２）内の前記特定のサブサブフレーム（８２）の前記位置に基づいて前記ＨＡＲＱプロセス識別子を判定することは、前記ＨＡＲＱプロセス識別子を、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
にしたがって判定することを含み、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓは前記サブフレーム（６２）内のサブサブフレーム（８２）の数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造（６０）内の前記サブフレーム（６２）のインデックスであり、
ｓｓｆ＿ｐｏｓは前記サブフレーム（６２）内の前記特定のサブサブフレーム（８２）のインデックスであることを特徴とする方法。
【請求項２３】
請求項１７から２２のいずれか１項に記載の方法であって、ショート物理ダウンリンク制御チャネル（ｓＰＤＣＣＨ）のサブサブフレーム（８２）上で前記スケジューリングノード（１１０）からＨＡＲＱフィードバックを受信することをさらに含み、前記フィードバックは前記無線ノード（１０５）の前記識別子に宛てられ、１にセットされた新たなデータインジケータをさらに含むことを特徴とする方法。
【請求項２４】
請求項１７から２３のいずれか１項に記載の方法であって、
前記無線ノード（１０５）に前記ＳＰＳ設定メッセージ（２１０）にしたがってサブサブフレームベースＳＰＳ用のＳＰＳをアクティブ化するよう命令するＳＰＳアクティブ化メッセージ（２２０）を、前記スケジューリングノード（１１０）から受信することであって、前記ＳＰＳアクティブ化メッセージ（２２０）は前記無線ノード（１０５）の前記識別子に宛てられた前記リソース割当てを含む、受信することと、
前記リソース割当ておよび前記パターンにしたがって前記スケジューリングノード（１１０）から受信した送信（２４０）を復号することと、
をさらに含むことを特徴とする方法。
【請求項２５】
請求項２４に記載の方法であって、前記ＳＰＳアクティブ化メッセージ（２２０）は前記無線ノード（１０５）にＳＰＳがアクティブ化されたサブサブフレーム（８２）の開始または後続でＳＰＳアクティブ化メッセージ（２２０）の肯定応答を送信するようさらに命令し、前記方法はさらに前記ＳＰＳアクティブ化メッセージ（２２０）にしたがってメディアアクセス制御（ＭＡＣ）制御エレメントで前記ＳＰＳアクティブ化メッセージ（２２０）の前記肯定応答を送信することをさらに含むことを特徴とする方法。
【請求項２６】
請求項２５に記載の方法であって、前記ＳＰＳアクティブ化メッセージ（２２０）の前記肯定応答を送信することは、サブフレーム（６２）の物理アップリンク共有チャネル（ＰＵＳＣＨ）を介してＭＡＣ制御エレメントを送信することを含むことを特徴とする方法。
【請求項２７】
無線ノード（１０５）であって、
プロセッサ（７１０）およびメモリ（７２０）を含み、前記メモリ（７２０）は前記プロセッサ（７１０）によって実行可能な命令を含み、それによって前記無線ノード（１０５）は、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信（４１０）し、
前記ＳＰＳ設定メッセージ（２１０）にしたがってサブサブフレームベースのＳＰＳ用に無線ノード（１０５）を設定（４２０）する、よう動作することを特徴とする無線ノード（１０５）。
【請求項２８】
請求項１８乃至２６の何れか１項に記載の方法を実行するよう構成される請求項２７に記載の無線ノード。
【請求項２９】
無線ノード（１０５）であって、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信（４１０）し、
前記ＳＰＳ設定メッセージ（２１０）にしたがってサブサブフレームベースのＳＰＳ用に無線ノード（１０５）を設定（４２０）する、よう動作することを特徴とする無線ノード（１０５）。
【請求項３０】
請求項１８から２６のいずれか１項に記載の方法を実行するよう構成される請求項２９に記載の無線ノード。
【請求項３１】
無線ノード（１０５）であって、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信（４１０）するよう設定される受信モジュール（８１０）と、
前記ＳＰＳ設定メッセージ（２１０）にしたがってサブサブフレームベースのＳＰＳ用に無線ノード（１０５）を設定（４２０）するよう設定される設定モジュール（８２０）と、
を有することを特徴とする無線ノード（１０５）。
【請求項３２】
請求項１８から２６のいずれか１項に記載の方法を実行するよう構成される請求項３１に記載の無線ノード。
【請求項３３】
ネットワークノード（１１０，１０５）の少なくとも１つのプロセッサ（５１０，７１０）で実行される場合に、前記少なくとも１つのプロセッサ（５１０，７１０）に、少なくとも１つのプロセッサに請求項１から１０または１７から２６の何れか１項に係る方法（３００，４００）を実行させる命令を含むコンピュータプログラム。
【請求項３４】
請求項３３に記載のコンピュータプログラムを格納するキャリアであって、前記キャリアは電気信号、光信号、無線信号、またはコンピュータ可読記憶媒体の何れか１つであることを特徴とするキャリア。
【発明の詳細な説明】
【技術分野】
【０００１】
本開示の実施形態は一般的に無線送信のスケジューリングに関し、より具体的には複数のサブサブフレームに適用されたパターンに従って送信リソースを利用するためのデータ送信の半永続スケジューリングに関する。
【背景技術】
【０００２】
多くの無線通信システムが、無線ノード間の送信スケジューリングを含む。いくつかのそのようなシステムにおいて、第１ノードが送信スケジュールをセットし、他ノードは送信スケジュールに従って第１ノードと通信する。そのような送信スケジュールの一例は、他ノードが、いつ第１ノードがダウンリンクで送信すると予期しうるかを定義する。そのような送信スケジュールの別の例は、他ノードがいつアップリンクでの送信を許可されるかを定義する。第１ノードはダウンリンク制御情報（ＤＣＩ）を用いて他ノードに送信スケジューリングを通知してもよい。そのようなＤＣＩの１つの具体的な例は、例えば３ＧＰＰ  ＴＳ  ３６．２１２  Ｖ１４．０．０  （２０１６−０９）による３ＧＰＰ標準化団体によって定義されたＤＣＩであってもよい。そのようなＤＣＩは例えば、リソース割当て、変調および符号化方式、並びに送信を復号するために有用な他の情報を含みうる。そのようなＤＣＩの他の例は、通信に使用される特定の無線技術に特有のものでありうるか、他の標準化団体によって定義されうる。送信スケジューリングによって、第１ノードは共有された無線媒体（例えばエアインタフェースの特定の時間および／または周波数ドメイン）を介したノード間の通信を協調させることができる。
【発明の概要】
【０００３】
本明細書のいくつかの実施形態は、サブサブフレーム動作用に設定された無線ノードに、無線ノードをサブサブフレームベースの半永続スケジューリング（ＳＰＳ）用に設定するＳＰＳ設定メッセージを送信するスケジューリングノードを含む。ＳＰＳ設定メッセージは無線ノードの識別子を含み、無線ノードに対するリソース割当てを繰り返すサブサブフレームのパターンを指示する。特定例では、ＳＰＳ設定メッセージは、サブフレームベースのリソース割当てが更なるパターンに従って繰り返すサブフレームベースのＳＰＳと同時に、無線ノードをサブサブフレームベースのＳＰＳ用に設定する。
【０００４】
上記と一貫して、本明細書の実施形態は、スケジューリングノードによって実施される送信スケジューリングの方法を含む。方法は、サブサブフレーム動作用に設定された無線ノードに、無線ノードをサブサブフレームベースのＳＰＳ用に設定するＳＰＳ設定メッセージを送信することを含む。ＳＰＳ設定メッセージは無線ノードの識別子を含み、無線ノードに対するリソース割当てを繰り返すサブサブフレームのパターンを指示する。
【０００５】
いくつかの実施形態では、サブサブフレームベースのＳＰＳ用に無線ノードを設定することは、サブフレームベースのリソース割当てが更なるパターンに従って繰り返すサブフレームベースのＳＰＳと同時に、無線ノードをサブサブフレームベースのＳＰＳ用に設定することを含む。
【０００６】
いくつかの実施形態では、ＳＰＳ設定メッセージは、無線ノードに、リソース割当て間の任意の重複に関して、無線ノードのリソース割当てまたはサブフレームベースのリソース割当てのいずれかを優先するよう命令する。
【０００７】
いくつかの実施形態では、ＳＰＳ設定メッセージはさらに、リソース割当てを繰り返すサブサブフレームのパターンを指示する期間をさらに含む。
【０００８】
いくつかの実施形態では、方法はさらに、特定のサブサブフレーム上でのデータ送信に対応するハイブリッド自動再送要求（ＨＡＲＱ）プロセス識別子を判定することを含み、ＨＡＲＱプロセス識別子を判定することは、構成サブフレーム内の特定のサブサブフレームの位置に基づく。
【０００９】
いくつかの実施形態では、構成サブフレーム内の特定のサブサブフレームの位置に基づいてＨＡＲＱプロセス識別子を判定することは、ＨＡＲＱプロセス識別子を、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
に従って判定することを含み、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓはサブフレーム内のサブサブフレームの数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造内のサブフレームのインデックスであり、
ｓｓｆ＿ｐｏｓはサブフレーム内の特定のサブサブフレームのインデックスである。
【００１０】
いくつかの実施形態では、方法は、サブフレーム物理ダウンリンク制御チャネル（ＰＤＣＣＨ）上で無線ノードにＨＡＲＱフィードバックを送信することをさらに含み、フィードバックは無線ノードの識別子に宛てられ、１にセットされた新たなデータインジケータをさらに含む。
【００１１】
いくつかの実施形態では、方法は、無線ノードにＳＰＳ設定メッセージにしたがってサブサブフレームベースＳＰＳ用のＳＰＳをアクティブ化するよう命令するＳＰＳアクティブ化メッセージであって、無線ノードの識別子に宛てられたリソース割当てを含むＳＰＳアクティブ化メッセージを、無線ノードに送信することをさらに含む。そのようないくつかの実施形態では、ＳＰＳアクティブ化メッセージは無線ノードにＳＰＳがアクティブ化されたサブサブフレームの開始または後続でＳＰＳアクティブ化メッセージの肯定応答を送信するようさらに命令し、方法はさらにＳＰＳアクティブ化メッセージにしたがってメディアアクセス制御（ＭＡＣ）制御エレメントでＳＰＳアクティブ化メッセージの肯定応答を受信することをさらに含む。いくつかのそのような実施形態では、ＳＰＳアクティブ化メッセージの肯定応答を受信することは、サブフレームの物理アップリンク共有チャネル（ＰＵＳＣＨ）を介してＭＡＣ制御エレメントを受信することを含む。
【００１２】
他の実施形態は、無線ノードによって実施される送信スケジューリングの方法を含む。方法は、スケジューリングノードから、無線ノードの識別子を含み、無線ノードに対するリソース割当てを繰り返すサブサブフレームのパターンを指示するＳＰＳ設定メッセージを受信することを含む。方法は、ＳＰＳ設定メッセージにしたがってサブサブフレームベースのＳＰＳのために無線ノードを設定することをさらに含む。
【００１３】
いくつかの実施形態では、サブサブフレームベースのＳＰＳ用に無線ノードを設定することは、サブフレームベースのリソース割当てが更なるパターンに従って繰り返すサブフレームベースのＳＰＳと同時に、無線ノードをサブサブフレームベースのＳＰＳ用に設定することを含む。
【００１４】
いくつかの実施形態では、ＳＰＳ設定メッセージは、無線ノードに、リソース割当て間の任意の重複に関して、無線ノードのリソース割当てまたはサブフレームベースのリソース割当てのいずれかを優先するよう命令する。
【００１５】
いくつかの実施形態では、ＳＰＳ設定メッセージはさらに、リソース割当てを繰り返すサブサブフレームのパターンを指示する期間をさらに含む。
【００１６】
いくつかの実施形態では、方法はさらに、特定のサブサブフレーム上でのデータ送信に対応するハイブリッド自動再送要求（ＨＡＲＱ）プロセス識別子を判定することを含み、ＨＡＲＱプロセス識別子を判定することは、構成サブフレーム内の特定のサブサブフレームの位置に基づく。いくつかのそのような実施形態では、構成サブフレーム内の特定のサブサブフレームの位置に基づいてＨＡＲＱプロセス識別子を判定することは、ＨＡＲＱプロセス識別子を
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
に従って判定することを含み、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓはサブフレーム内のサブサブフレームの数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造内のサブフレームのインデックスであり、
ｓｓｆ＿ｐｏｓはサブフレーム内の特定のサブサブフレームのインデックスである。
【００１７】
いくつかの実施形態では、方法は、物理ダウンリンク制御チャネル（ＰＤＣＣＨ）のサブサブフレーム上でスケジューリングノードからＨＡＲＱフィードバックを受信することをさらに含み、フィードバックは無線ノードの識別子に宛てられ、１にセットされた新たなデータインジケータをさらに含む。
【００１８】
いくつかの実施形態では、方法は、ＳＰＳ設定メッセージにしたがってサブサブフレームベースＳＰＳ用のＳＰＳをアクティブ化するよう無線ノードに命令するＳＰＳアクティブ化メッセージを、スケジューリングノードから受信することをさらに含む。ＳＰＳアクティブ化メッセージは無線ノードの識別子に宛てられたリソース割当てを含む。方法は、リソース割当ておよびパターンにしたがってスケジューリングノードから受信した送信を復号することをさらに含む。そのようないくつかの実施形態では、ＳＰＳアクティブ化メッセージは無線ノードにＳＰＳがアクティブ化されたサブサブフレームの開始または後続でＳＰＳアクティブ化メッセージの肯定応答を送信するようさらに命令し、方法はＳＰＳアクティブ化メッセージにしたがってメディアアクセス制御（ＭＡＣ）制御エレメントでＳＰＳアクティブ化メッセージの肯定応答を送信することをさらに含む。いくつかのそのような実施形態では、ＳＰＳアクティブ化メッセージの肯定応答を送信することは、サブフレームの物理アップリンク共有チャネル（ＰＵＳＣＨ）を介してＭＡＣ制御エレメントを送信することを含む。
【００１９】
実施形態はまた、本明細書で説明される方法の１つ以上に対応する装置、システム、コンピュータプログラム製品、ソフトウェア、および／またはキャリアを含む。
【００２０】
例えば、実施形態は、サブサブフレーム動作用に設定された無線ノードに、無線ノードをサブサブフレームベースの半永続スケジューリング（ＳＰＳ）用に設定するＳＰＳ設定メッセージを送信するよう設定されたスケジューリングノードを含む。ＳＰＳ設定メッセージは無線ノードの識別子を含み、無線ノードに対するリソース割当てを繰り返すサブサブフレームのパターンを指示する。
【００２１】
実施形態は、スケジューリングノードから、無線ノードの識別子を含み、無線ノードに対するリソース割当てを繰り返すサブサブフレームのパターンを指示する半永続スケジューリング（ＳＰＳ）設定メッセージを受信するよう設定された無線ノードをさらに含む。無線ノードはさらに、ＳＰＳ設定メッセージにしたがってサブサブフレームベースのＳＰＳのために無線ノードを設定するよう設定される。
【図面の簡単な説明】
【００２２】
【図１】本開示の１つ以上の実施形態にかかる、無線通信システムの一例を示す。
【図２】本開示の１つ以上の実施形態にかかる、直交周波数分割多重（ＯＦＤＭ）通信に使用されうるダウンリンク物理リソースの一例を示す。
【図３】本開示の１つ以上の実施形態にかかる、ＯＦＤＭ通信に使用されうる時間ドメインの構造例を示す。
【図４】本開示の１つ以上の実施形態にかかる、サブサブフレーム動作が設定されている時間ドメインの構造例を示す。
【図５】本開示の１つ以上の実施形態にかかる、サブサブフレームＳＰＳが設定されアクティベート化されるダウンリンクの時間ドメインの一例を示す。
【図６】本開示の１つ以上の実施形態にかかる、アップリンクのサブサブフレームＳＰＳ動作の時間ドメインの一例を示す。
【図７】本開示の１つ以上の実施形態にかかる、スケジューリングノードによって実施される方法例を示す。
【図８】本開示の１つ以上の実施形態にかかる、無線ノードによって実施される方法例を示す。
【図９】本開示の１つ以上の実施形態にかかる、本明細書で説明される１つ以上の方法を実施するために有用なスケジューリングノードのハードウェア例を示すブロック図である。
【図１０】本開示の１つ以上の実施形態にかかる、本明細書で説明される１つ以上の方法を実施するために有用なスケジューリングノードの手段、物理ユニット、またはソフトウェアモジュールの例を示すブロック図である。
【図１１】本開示の１つ以上の実施形態にかかる、本明細書で説明される１つ以上の方法を実施するために有用な無線ノードのハードウェア例を示すブロック図である。
【図１２】本開示の１つ以上の実施形態にかかる、本明細書で説明される１つ以上の方法を実施するために有用な無線ノードの手段、物理ユニット、またはソフトウェアモジュールの例を示すブロック図である。  なお、本明細書で使用されるように、参照番号が図面中の文字指定を含むとき、図示された要素の特定のインスタンスの議論は適切な対応する文字指定（例えば、無線ノード１０５ａ）を使用する。しかしながら、例示された主題（例えば、特定の無線ノード１０５ａ、１０５ｂ）の説明ではなく、（一般的に）無線ノード１０５の説明）を一般的に参照するために、文字の指定は省略される。
【発明を実施するための形態】
【００２３】
以下に詳細に説明するように、本開示の態様は、全体がハードウェアユニットとして、全体がソフトウェアモジュール（ファームウェア、常駐ソフトウェア、マイクロコードなどを含む）として、またはハードウェアユニットとソフトウェアモジュールとの組み合わせとして実装されうる。例えば、本開示の実施形態は、プログラム可能な装置で実行された場合、後述する様々な方法を実行するようにプログラム可能な装置を構成するコンピュータプログラムの形態のソフトウェア命令を格納する非一時的コンピュータ可読媒体の形態を取り得る。
【００２４】
以下の本開示を明確に理解するために、項目の連続するリスト「のうちの１つ」（例えば「ＡおよびＢのうちの１つ」）が論じられる限りにおいて、本開示はリスト内の項目のうちの１つ（例えばＡおよびＢではなくＡまたはＢ）を指す。そのような言葉は、リストのアイテムのうちのそれぞれの１つ（例えば１つのＡおよび１つのＢ）は参照せず、そのような言葉はリスト内の単一の項目のうちの１つだけ（例えば１つだけのＡまたは１つだけのＢ）も参照しない。同様に、項目の連続するリスト「のうちの少なくとも１つ」（およびそのようなリストのうちの「１つ以上」も同様に）本開示は、リストの中の任意の項目またはリストの中の項目の任意の組み合わせを参照する（例えばＡのみ、Ｂのみ、またはＡおよびＢの両方）。そのような言葉は、リスト内の各項目の１つ以上を参照しない（例えば）１つ以上のＡ、および１つ以上のＢ）。
【００２５】
ここで図面に目を向けると、図１は本開示の１つ以上の実施形態にかかる、例示的な通信システム１００を示す。通信システム１００はロングタームエボリューション（ＬＴＥ）通信ネットワークのコンテキストで説明されるが、本開示全体にわたる説明は、５Ｇ次世代無線（ＮＲ）および／またはＷｉ−Ｆｉを含むがこれに限定されない他の無線通信システムおよび／またはそれらの組み合わせに同様に適用されてもよい。通信システム１００は複数の無線通信ノードを含む。無線通信ノードのうちの１つは特に無線ノード１０５ａ−ｂにセル１１５のサービスを提供するスケジューリングノード１１０である。ＬＴＥのコンテキストにおいて、例えば無線ノード１０５ａ−ｂはそれぞれユーザ装置（ＵＥ）として呼ばれうる一方、スケジューリングノード１１０は（ｅＮｏｄｅＢのような）基地局であってもよい。図１には１つのみのスケジューリングノード１１０および２つの無線ノード１０５ａ−ｂが図示されているが、通信システム１００の別の例は、それぞれが任意の数の無線ノード１０５に１つ以上のセル１１５を提供する任意の数のスケジューリングノード１１０を含んでもよい。さらに、無線ノード１０５ａ−ｂがＵＥのコンテキストで説明されるが、他の実施形態によれば、無線ノード１０５自体が基地局（例えばフェムトセル、リレー基地局）であってもよい。さらに、スケジューリングノード１１０はそれ自体が無線ノードの１つの種類であり、スケジューリングノード１１０は無線通信が可能なネットワークノードである。
【００２６】
スケジューリングノード１１０および無線ノード１０５ａ−ｂのそれぞれの間の無線通信は時間周波数ドメインにわたる無線リソースを使用して実行される。ＬＴＥは特にダウンリンクではＯＦＤＭを、アップリンクでは離散フーリエ変換（ＤＦＴ）拡散ＯＦＤＭを使用する。基本的なＬＴＥダウンリンク物理リソースは時間周波数グリッドと見なすことができる。図２はＬＴＥのための例示的なＯＦＤＭ時間周波数グリッド５０の一部を示す。一般的に言えば、時間周波数グリッド５０は１ミリ秒のサブフレームに分割される。各サブフレームは複数のＯＦＤＭシンボルを含む。マルチパス散乱が極端に厳しくはない予想される状況での使用に適した通常のサイクリックプレフィックス（ＣＰ）長として、サブフレームは１４個のＯＦＤＭシンボルを含みうる。拡張サイクリックプレフィックスが使用される場合、サブフレームは１２個のＯＦＤＭシンボルを含みうる。周波数ドメインにおいて、図２に示す物理リソースは１５ｋＨｚの間隔で隣接するサブキャリアに分割される。サブキャリア数は割当てられるシステム帯域幅によって変動してもよい。時間周波数グリッド５０の最小エレメントは、典型的には１つのＯＦＤＭシンボル間隔の間に１つのＯＦＤＭサブキャリアを備えるリソースエレメントと呼ばれる。
【００２７】
ＬＴＥシステムにおいて、データは物理ダウンリンク共有チャネル（ＰＤＳＣＨ）として知られるダウンリンク伝送チャネルを介して携帯端末に送信される。ＰＤＳＣＨは複数の無線ノード１０５によって共有される多重化された時間周波数チャネルである。図３に示すように一般にダウンリンク送信は１０ミリ秒の無線フレーム６０で編成される。各無線フレーム６０は、典型的に１０個の等しい大きさのサブフレーム６２を備える。ダウンリンク送信を受信するユーザをスケジューリングする目的で、ダウンリンク時間−周波数リソースはリソースブロック（ＲＢ）と呼ばれる単位で割り当てられる。各リソースブロックは、典型的に１２個のサブキャリア（周波数スペクトルにわたって隣接するまたは分散しうる）、１つの０．５ｍｓスロット（１つのサブフレームの半分）にわたる。
【００２８】
スケジューリングノード１１０および無線ノード１０５の間のアップリンクまたはダウンリンクのいずれかのサブフレーム６２はさらに図４に示すようにサブサブフレーム８２に編成されてもよい。図４の例において、サブフレーム６２は６つのサブサブフレーム８２ａ−ｆを含む。各サブサブフレーム８２ａ−ｆはそれ自体が短い送信間隔でありうる。いくつかの実施形態において、サブサブフレーム８２ａ−ｆのうちの１つ以上は制御チャネルまたはデータチャネルのために使用されてもよい。特に、サブサブフレーム８２ａ−ｆのうちの１つ以上は、当該サブサブフレームがダウンリンクまたはアップリンクのそれぞれの一部であるかどうかに応じて、ショートＰＤＳＣＨ（ｓＰＤＳＣＨ）またはショート物理アップリンク共有チャネル（ｓＰＵＳＣＨ）を含みうる。１つの具体例において、サブサブフレーム８２ａはサブフレーム６２のＰＤＣＣＨのために使用されてもよく、サブサブフレーム８２ｂ−ｆのそれぞれはｓＰＤＳＣＨを含んでもよい。いくつかのさらなる実施形態において、サブサブフレーム８２はショートＰＤＣＣＨ（ｓＰＤＣＣＨ）を含んでもよい。サブサブフレームに対する用途および／またはチャネルの他の組み合わせが他の実施形態に含まれてもよい。
【００２９】
１つ以上の実施形態によれば、セル１１５内で、スケジューリングノード１１０は、無線ノード１０５ａ−ｂの１つ以上へのダウンリンク送信および／またはアップリンク送信を動的にスケジューリングすることができる。そのような動的なスケジューリングのために、スケジューリングノード１１０はダウンリンク制御情報（ＤＣＩ）を各サブフレーム６２で送信しうる。ＤＣＩは現在のダウンリンクサブフレーム６２においてデータを受信するようスケジューリングされた１つ以上の無線ノード１０５と、スケジューリングされた無線ノード１０５にデータが送信されるリソースブロックとを識別する。ＤＣＩは、典型的にはＰＤＣＣＨまたは拡張ＰＤＣＣＨ（ｅＰＤＣＣＨ）上で、例えば各サブフレーム６２における最初の２、３、または４つのＯＦＤＭシンボルで送信される。データが搬送されるリソースは、典型的には対応する物理ダウンリンク共有チャネル（ＰＤＳＣＨ）で送信される。
【００３０】
１つ以上の実施形態によれば、スケジューリングノード１１０はダウンリンクおよび／またはアップリンクの半永続スケジューリング（ＳＰＳ）を付加的または代替的に実行してもよい。ＳＰＳは一般的に動的スケジューリングより少ないシグナリングオーバーヘッドを要求する。ＳＰＳスケジューリングのために、データが１つ以上の無線ノード１０５に送信されるリソースブロックは、（動的スケジューリングの場合と同様に）各サブフレーム６２で送信されるＤＣＩにおいて識別されない。むしろ、リソースブロックは、複数サブフレームに対して特定のサブフレーム６２において送信されたＤＣＩにおいて識別されうる（例えば、現在のサブフレームおよび１つ以上のその後のサブフレーム）。１つ以上の実施形態によれば、複数サブフレームは連続的または不連続的でありうる。ＤＣＩが適用されるサブフレーム機会の間隔は、いくつかの実施形態においてＳＰＳの周期性であってもよい。このＳＰＳ周期は時間の点から（例えば１０ミリ秒ごと）および／またはサブフレームの点から（例えば１０番目のサブフレームごと）表現されてもよい。実施形態によれば、この周期は後述する適切なシグナリングによって、スケジューリングノード１１０によって適合されてもよい。さらに、多様な実施形態によれば、この周期は無線フレーム６０の持続時間より短い、等しい、またはより大きい持続時間でありうる。
【００３１】
実施形態によれば、スケジューリングノード１１０は、動的スケジューリングおよびＳＰＳの間を自由に切り替えることができ、それに応じて１つ以上の無線ノードを（例えば、特定周期のＳＰＳが使用されることを指示する無線リソース制御（ＲＲＣ）信号を介して）設定することができる。その後、ＳＰＳをアクティブ化するために、リソース割当てがＤＣＩで無線ノード１０５に送信されうる。無線ノード１１０は、このＤＣＩを格納し、それに応じて各ＳＰＳ機会においてダウンリンク送信を予期してもよい。
【００３２】
本開示の実施形態によれば、ＳＰＳはダウンリンクおよび／またはアップリンクのサブサブフレームベースのＳＰＳ動作のために設定されてもよい。サブサブフレームベースのＳＰＳによれば、スケジューリングされたリソースブロックは、（例えば特定のサブフレーム６２で送信されたＤＣＩで識別されるように）パターンに従って複数のサブサブフレームに適用される。スケジューリングされたサブサブフレームのパターンは、（例えば周期的な）さらなるサブフレームベースのＳＰＳパターンに従ってさらに繰り返されてもよい。
【００３３】
サブサブフレームベースのＳＰＳ動作用に設定されたダウンリンクの例示的な時間ドメインを図５の例に示す。時間ドメインは複数のサブフレーム６２を含み、各サブフレームは初期制御領域２５０（すなわちＰＤＣＣＨ）および後続データ領域２６０（すなわちＰＤＳＣＨ）を含む。いくつかの実施形態において、制御領域２５０で送信されるＤＣＩが、スケジューリングノード１１０によって無線ノード１０５にデータが送信される、対応するデータ領域２６０のリソースを指示するように、スケジューリングは以前に動的であってもよい（不図示）。
【００３４】
本例によれば、スケジューリングノード１１０は設定メッセージ２１０をＲＲＣシグナリングを介して送信することで、無線ノード１０５をサブサブフレームベースのＳＰＳ用に設定する。設定メッセージ２１０はＳＰＳの周期性（本例において、２つのサブフレーム）を指示する。設定メッセージ２１０は、無線ノード１０５に対するリソース割当てを繰り返すサブサブフレームのパターン（本例では、設定メッセージ２１０においてビットマップ１１１１１としてシグナリングされる５つの連続するサブサブフレームのパターン）を指示する。設定メッセージは無線ネットワーク一時識別子（ＲＮＴＩ）のような無線ノード１０５の識別子も含んでもよい。後に、本例によれば、スケジューリングノード１１０はサブフレーム６２の制御領域２５０でアクティブ化メッセージ２２０を送信することで（すなわち設定メッセージ２１０によって設定されるように）、サブサブフレームベースのＳＰＳを将来的にアクティブ化する。この具体例において、アクティベーションはアクティブ化メッセージ２２０を搬送するサブフレーム６２のあとの４番目のサブフレーム６２で発生するようあらかじめ設定される。いくつかの他の例では、アクティブ化する時間は設定メッセージ２１０または他のシグナリングによって設定されうる。このアクティブ化は、いくつかの実施形態において、例えば無線ノード１０５が以前に動的スケジューリング用に設定された場合に、無線ノード１０５のスケジューリングモードを切り替えてもよい。
【００３５】
アクティブ化メッセージ２２０は、関連するサブサブフレーム８２において、サブサブフレームパターンに従って無線ノード１０５にデータが送信されるリソース割当てを含む。その後、スケジューリングノード１１０は、アクティブ化メッセージ２２０を搬送するサブフレーム６２の後の４番目のサブフレーム６２（すなわち、初期ＳＰＳ期間２３０ａの第１のサブフレーム６２）のデータ領域２６０で、サブサブフレームパターンに従ってデータ２４０ａを送信し、サブサブフレームパターンに従って（設定メッセージ２１０で設定されたように）ＳＰＳ期間２３０ｂ、２３０ｃにおいてデータ２４０ｂ、２４０ｃを送信し続ける。したがって、本例によれば、一度ＳＰＳがアクティブ化されると、無線ノード１０５は２つのサブフレーム６２ごとに５つの連続するサブサブフレーム８２でスケジューリングノード１１０から可能なデータ送信を予期するよう設定される。
【００３６】
上述の例では、アクティブ化メッセージ２２０の後の４番目のサブフレーム６２でアクティブ化が起こるようにあらかじめ設定されているが、他の実施形態によれば、アクティブ化メッセージ２２０は、ＳＰＳをアクティブ化する開始サブサブフレーム８２を指示することができる。実施形態はまた、例えば、開始サブサブフレーム８２またはその後のサブサブフレーム８２においてアクティブ化メッセージ２２０の肯定応答を送信するように無線ノード１０５に命令することもできる。この肯定応答は、無線ノード１０５によって、アクティブ化メッセージ２２０によって指示されたサブサブフレーム８２におけるメディアアクセス制御（ＭＡＣ）制御エレメントで（例えばＰＵＳＣＨまたはｓＰＵＳＣＨを介して）スケジューリングノード１１０に送信されうる。
【００３７】
いくつかの実施形態は別個の設定およびアクティブ化メッセージ２１０、２２０を使用し、それぞれＳＰＳのために無線ノード１０５を設定し、アクティブ化しうるが、他の実施形態は無線ノードのＳＰＳを設定およびアクティブ化するために単一のメッセージを使用してもよい。そのような実施形態の例では、ＳＰＳを設定およびアクティブ化するための単一のメッセージはデータが送信されるリソースと、そのようなリソースを搬送するサブフレームのインスタンス間の持続時間（すなわちＳＰＳの周期性）とを識別するＤＣＩを含みうる。
【００３８】
さらに、他の実施形態によれば、設定および／またはアクティブ化メッセージ２１０、２２０は異なるチャネルおよび／またはシグナリングを用いて送信されうる。例えば、設定および／またはアクティブ化メッセージ２１０、２２０は、例えばＰＤＳＣＨまたはｓＰＤＳＣＨ送信におけるメディアアクセス制御（ＭＡＣ）制御エレメントを使用して送信されうる。
【００３９】
さらに、図５の例は２つのサブフレームのＳＰＳ期間２５０を示すが、他の実施形態は他の持続時間のＳＰＳ期間２３０を含む。例えば、特定の無線ノード１０５は非常に低遅延の要件を有してもよい。そのような無線ノード１０５は、例えば重要なマシンタイプ通信（ＣＭＴＣ）に参加する装置であってもよい。そのようなシステムは、例えば、２つのサブフレームより少ないＳＰＳ期間２５０を有しうる。より重要ではないシステムは、２つのサブフレームより多いが１０ミリ秒より少ない（すなわち、１つの典型的なＬＴＥ無線フレーム６０より少ない）ＳＰＳ期間２５０を有しうる。例えば、非常に低頻度および／または低優先度の通信を含むシステムは、１０個のサブフレームを超えるＳＰＳ期間２５０を有し得る。スケジューリングノード１１０によって指定されたＳＰＳ期間は既存の特定のシステム、装置、および／または条件に依存しうる。
【００４０】
さらに、図５の例は５つの連続するサブサブフレームのサブサブフレームパターンを示すが、他の実施形態は他のパターンを含んでもよく、他のデータ構造によって表わされてもよい。例えば、互い違いのサブサブフレーム８２のパターンは、対応するフラグによって指示されてもよい。あるいは、周期的なサブサブフレームの繰り返しパターンは、サブサブフレームのＳＰＳ期間の持続時間を（例えば時間またはサブサブフレームの観点から）指定することによって指示されうる。他のパターンは、例えばスケジューリングノード１１０によってランダムに選択され、個別ののビットマップを使用して指示されてもよい。例えば、２つの割当てられたサブサブフレームの後に２つの割当てられていないサブサブフレームが続くパターンは、ビットマップ１１００、その１０進数の等価物１２、または他のデータ構造によって表されうる。一般的に、実施形態は単一のサブフレームの持続時間内に収まる複数のサブサブフレームを含んでもよく、ＳＰＳ設定メッセージ２１０は複数のサブサブフレーム８２のうちのどれにリソース割当てが適用されるかを指示することによって、リソース割当てが繰り返されるパターンを指示しうる。
【００４１】
さらに、図５の例はサブサブフレームベースのＳＰＳ動作のために設定されるダウンリンクの例を図示するが、図６の例に示すようにアップリンクも同様に設定されてもよい。図６のサブサブフレームベースのＳＰＳ動作を設定するために、設定メッセージ２１０は無線ノード１０５に対するリソース割当てがアップリンク上で繰り返されるアップリンクのパターンを含んでもよい。図６の例において、アップリンクパターンは３つのスケジューリングされたサブサブフレーム８２とそれに続く２つのスケジューリングされていないサブサブフレーム８２であり、アップリンクパターンは、例えばアクティブ化メッセージ２１０でビットマップ１１１００を用いて表されうる。設定メッセージ２１０はアップリンクのためのＳＰＳ周期性を含んでもよい。本例において、アップリンクのＳＰＳ周期は１つのサブフレーム６２である。従って、図６の例は、持続時間はそれぞれ１つのサブフレーム８２であり、複数のＳＰＳ期間２３０ｄ−ｈで設定されたアップリンクを示し、そこでデータが３つのサブサブフレーム８２のパターンに従って無線ノード１０５によってアップリンクで送信され、各サブフレーム６２内の後続の２つのサブサブフレーム８２では送信されない。
【００４２】
上述した例の観点から、特定の実施形態は、サブサブフレームのｓＰＤＣＣＨおよび／またはサブフレーム６２のＰＤＣＣＨを介して無線ノード１０５に制御情報（例えばアクティブ化、設定、および／または解放メッセージ）を提供することを含みうる。そのような制御メッセージは、動的スケジューリング、サブフレームベースのＳＰＳ，および／またはサブサブフレームベースのＳＰＳ動作に従って無線ノード１０５にリソース割当てを提供するためにＤＣＩを含みうる。このＳＰＳの確認は、無線ノード１０５によって、例えばＳＰＳがアクティブ化された後に許可されたアップリンクリソースにおいて、ＭＡＣ制御エレメントを使用して送信されてもよい。これらの制御メッセージのいずれかに含まれる情報のいずれかまたは全ては、無線ノード１０５の識別子（例えば無線ネットワーク一時識別子（ＲＮＴＩ））を使用して無線ノード１０５に宛てられうる。
【００４３】
いくつかの実施形態において、そのような制御情報はサブフレームベースのＳＰＳと同時であるサブサブフレームベースのＳＰＳのために無線ノード１０５を設定しうる。いくつかのそのような実施形態は、サブサブフレームベースのＳＰＳのためのサブサブフレームリソース割当てと、同時サブフレームベースのＳＰＳのためのサブフレームリソース割当てとを含みうる。いくつかのそのような実施形態において、リソース割当ては特定のリソースに関して重複してもよい。したがって、いくつかのそのような実施形態において、設定メッセージ２１０は無線ノード１０５に、サブサブフレームベースのリソース割当てまたはそのような重複に関するサブフレームベースのリソース割当てのいずれかを優先するよう命令しうる。
【００４４】
さらに、サブサブフレームベースおよびサブフレームベースのＳＰＳが同時に動作すべきいくつかのそのような実施形態において、これら２つの間のパターンは、それらの送信パターンの間の関係のために、一緒に設定可能である、および／または互いに区別されうる。例えば、スケジューリングノード１１０は無線ノード１０５に、２つのサブフレーム６２のサブフレームベースのＳＰＳ期間と、サブサブフレームベースのＳＰＳが使用されるべきであることを指示する、すなわちどのサブサブフレームベースのＳＰＳパターンを無線ノード１０５が使用すべきであるかを明示的に述べることなく、設定メッセージ２１０を送信しうる。いくつかのそのような実施形態において、無線ノード１０５はサブフレームベースのＳＰＳパターンに基づいてサブサブフレームベースのＳＰＳパターンを判定する。例えば、サブフレームベースのＳＰＳが２つのサブフレームのＳＰＳ期間２３０を使用するよう設定される場合、無線ノード１０５は、サブサブフレームベースのＳＰＳのためのパターンは周期的な２つのサブサブフレーム８２の間隔を同様に使用すべきであると判定しうる。同様に、送信ノード１１０はサブフレームベースのＳＰＳ期間に従ってサブサブフレームのパターンを設定しうる。サブフレームベースのＳＰＳとサブサブフレームベースのＳＰＳとの間の他の関係は他の実施形態にも含められる。
【００４５】
上述したように、スケジューリングノード１１０は複数の無線ノード１０５にサービスを提供しうる。特に、スケジューリングノード１１０は無線ノード１０５ａ−ｂのそれぞれにリソース割当てを許可してもよい。いくつかのこのような場合において、スケジューリングノード１１０は異なる無線ノード１０５ａ−ｂのリソース割当てを協調させることで重複を回避するまたは制限してもよい。いくつかの実施形態において、スケジューリングノード１００は、各リソース割当てのためにリソース割当てが適用される、複数のサブサブフレームをランダムに選択する。このランダム選択は（いくつかの実施形態では）重複を完全に排除しなくてもよい一方、そのようなランダム選択は計算上効率的でありながら重複の可能性を減らしてもよい（例えば、そのような手法は、割り当てられていないリソースを探し出し、適切なパターンを無線ノード１０５ａ−ｂにシグナリングするための複雑なアルゴリズムの必要性を回避することができる）。
【００４６】
スケジューリングノード１１０は、そのような重複が生じうる１つ以上の実施形態において、重複するリソース割当てを解決するためにさらに措置を取りうる。例えば、いくつかの実施形態では、スケジューリングノード１１０はｓＰＤＳＣＨ送信が意図されている無線ノードの識別子（例えばＲＮＴＩ）で複数のｓＰＤＳＣＨ送信のそれぞれをスクランブルすることができる。従って、送信ノード１１０は、例えば無線ノード１０５のために意図されているｓＰＤＳＣＨ送信を、その無線ノード１０５のＲＮＴＩでスクランブルすることができる。他の実施形態は、例えばｓＰＤＳＣＨ送信が意図されている無線ノード１０５の識別子を用いて、ｓＰＤＳＣＨ送信に対応する巡回冗長検査（ＣＲＣ）符号をスクランブルすることによって、重複するリソース割当てを解決することができる。従って、送信ノード１１０は、無線ノード１０５のＲＮＴＩで、無線ノード１０５のために意図されているさらなるｓＰＤＳＣＨ送信に対応するＣＲＣをスクランブルし、スクランブルしたＣＲＣを送信してもよい。そのような実施形態において、無線ノード１０５は例えば受信したスクランブルされたデータを解読（デスクランブル）し、ＣＲＣチェックを実行するよう試行してもよい。ＣＲＣチェックが成功した場合、ｓＰＤＳＣＨ送信は無線ノード１０５に宛てられていると考えられてもよい。そうでなければ、ｓＰＤＳＣＨ送信は誤っているか、または異なる無線ノード１０５を意図しうる。
【００４７】
いくつかの実施形態はアップリンクおよび／またはダウンリンク上でハイブリッド自動再送要求（ＨＡＲＱ）を使用する。動的スケジューリングの間、ＨＡＲＱプロセス識別子は、通常データ送信および／またはＨＡＲＱフィードバックと共に使用するための各サブフレーム６２の制御領域２５０で指定される。しかしながら、そのような情報はＳＰＳ動作のもとで各サブフレームにはなくてもよい。従って、いくつかの実施形態では、無線ノード１０５および／またはスケジューリングノード１１０はＨＡＲＱプロセス識別子を自分自身で判定してもよい。特に、いくつかの実施形態において、無線ノード１０５およびスケジューリングノード１１０はそれぞれ、データ送信のためのＨＡＲＱプロセス識別子を一貫した方法で決定し、これによって、それぞれがこの情報をシグナリングする必要なしにＨＡＲＱプロセス識別子を独立して決定することができる。例えば、無線ノード１０５および／またはスケジューリングノード１１０は式を使用して、例えばシステムフレーム番号、サブフレーム番号、および／または無線ノード１０５およびスケジューリングノード１１０の両方に既知のパラメータから、ＨＡＲＱプロセス識別子を導出してもよい。１つの具体例として、ＨＡＲＱプロセス識別子は、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
に従って判定されてもよく、
本例では式ＣＵＲＲＥＮＴ＿ＴＴＩは
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］
によって与えられ、
上記の数式において、ｓｅｍｉＰｅｒｓｉｓｔＳｃｈｅｄＩｎｔｅｒｖａｌＵＬはサブフレームベースのＳＰＳ期間であってもよく、ＳＳＦｓはサブフレーム内のサブサブフレームの数であってもよく、ｎｕｍｂｅｒＯｆＣｏｎｆＵｌＳＰＳ−Ｐｒｏｃｅｓｓｅｓは設定されたＨＡＲＱプロセス識別子の総数であってもよく、ＳＦＮはシステムフレーム番号であってもよく、ｓｕｂ＿ｎｕｍはより大きなフレーム構造内のサブフレームのインデックスであってもよく、ｓｓｆ＿ｐｏｓはサブフレーム内の特定のサブサブフレームのインデックスであってもよい。他の数式が付加的または代替的に使用されてもよい。
【００４８】
上記と一致して、実施形態によれば、ＨＡＲＱフィードバックは、スケジューリングノード１１０によってｓＰＤＣＣＨまたはＰＤＣＣＨ上の無線ノード１０５に送信されうる。特定の実施形態において、フィードバックはサブサブフレームベースのＳＰＳの前のサブサブフレーム８２のビットマップを含み、ビットマップの各ビットは、対応するサブサブフレーム８２上の前の送信の再送信が無線ノード１０５から要求されるかどうかを示す。そのようなフィードバックは、例えば、無線ノードの識別子に宛てられてもよく、例えば、再送信が要求されていることを指示するために、１に設定された新たなデータインジケータをさらに含んでもよい。使用されるＨＡＲＱ方式は例えばそのような再送をスケジューリングするためにｓＰＤＣＣＨを使用してもよい。実施形態によれば、ｓＰＤＣＣＨが帯域内制御チャネルでありうるため、ｓＰＤＣＣＨの位置は設定メッセージ２１０に含まれうる。
【００４９】
上記に鑑みて、本開示の実施形態は図７に示す送信スケジューリングの例示的な方法３００を含む。方法３００はスケジューリングノード１１０によって実施されることができ、サブサブフレーム動作用に設定された無線ノード１０５に、無線ノード１０５をサブサブフレームベースのＳＰＳ用に設定するＳＰＳ設定メッセージ２１０を送信することを含む（ブロック３２０）。ＳＰＳ設定メッセージ２１０は無線ノード１０５の識別子を含み、無線ノード１０５に対するリソース割当てを繰り返すサブサブフレーム８２のパターンを指示する。そのような例示的な方法３００のいくつかの実施形態によれば、方法３００は、サブフレームベースのＳＰＳのために無線ノード１０５を設定すること（ブロック３１０）と、それに応じてサブサブフレームベースのＳＰＳのために無線ノード１０５を設定するＳＰＳ設定メッセージ２１０を送信すること（ブロック３２０）とをさらに含んでもよい。
【００５０】
本開示の他の実施形態は図８に示す送信スケジューリングの例示的な方法４００を含む。方法４００は無線ノード１０５によって実施されてもよく、スケジューリングノード１１０から、無線ノード１０５の識別子を含み、無線ノード１０５に対するリソース割当てを繰り返すサブサブフレームのパターンを指示するＳＰＳ設定メッセージ２１０を受信すること（ブロック４１０）を含む。方法４００は、ＳＰＳ設定メッセージ２１０にしたがってサブサブフレームベースのＳＰＳのために無線ノード１０５を設定すること（ブロック４２０）をさらに含む。
【００５１】
なお、上述のスケジューリングノード１１０および／または無線ノード１０５は、上述したように、任意の機能的手段、ユニット、またはモジュールを実施することで本明細書で説明される方法のいずれか（および本明細書の任意の他の処理）を実行してもよい。一実施形態では、例えば、スケジューリングノード１１０は、図７に示す方法３００のステップを実行するよう構成される個別の回路を備える。別の実施形態において、例えば無線ノード１０５は、図８に示す方法４００のステップを実行するよう構成される個別の回路を備える。このことに関して、当該回路は、所定の機能的処理を実行する専用回路を含んでもよい、および／またはメモリと連携する１または複数のマイクロプロセッサを含んでもよい。読み出し専用メモリ（ＲＯＭ）、ランダムアクセスメモリ、キャッシュメモリ、フラッシュメモリデバイス、光学記憶デバイスなど、１またはいくつかのタイプのメモリを含みうる、メモリを採用する実施形態において、メモリは、１または複数のプロセッサによって実行される場合に、本明細書で説明した技術を実行するプログラムコードを格納してもよい。
【００５２】
図９は１つ以上の実施形態にしたがって実施される例示的なスケジューリングノード１１０を示す。示すように、スケジューリングノード１１０は処理回路５１０および通信回路５３０を含む。通信回路５３０は、例えば任意の通信技術を介して、１つ以上の他ノードへ、および／または他ノードから情報を送信および／または受信するよう設定される。そのような通信はスケジューリングノード１１０の内部または外部にある１つ以上のアンテナを介して行われうる。処理回路５１０は、例えば図７の上述の処理を、メモリ５２０に格納された命令を実行することによって実行するよう設定される。これに関する処理回路５１０は、特定の機能的手段、ユニット、またはモジュールを実施できる。
【００５３】
図１０は１つ以上の他の実施形態にしたがって実施される例示的なスケジューリングノード１１０を示す。図示するように、スケジューリングノード１１０は、様々な機能的手段、ユニット、またはモジュールを、例えば図９の処理回路５１０を介し、および／またはソフトウェアコードを介して実施する。図７の方法３００を実施するためのこれらの機能的手段、ユニット、またはモジュールは、いくつかの実施形態において例えばサブフレームベースのＳＰＳのために設定された無線ノードを設定する設定ユニットまたはモジュール６１０を含む。追加的または代替的に、サブサブフレーム動作のために設定された無線ノード１０５に、無線ノード１０５をサブサブフレームベースのＳＰＳのために設定するＳＰＳ設定メッセージ２１０を送信するための送信ユニットまたはモジュール６２０が含まれる。ＳＰＳ設定メッセージ２１０は無線ノード１０５の識別子を含み、無線ノード１０５に対するリソース割当てを繰り返すサブサブフレーム８２のパターンを指示する。
【００５４】
図１１は１つ以上の実施形態にしたがって実施される例示的な無線ノード１０５を示す。示すように、無線ノード１０５は処理回路７１０および通信回路７３０を含む。通信回路７３０は、例えば任意の通信技術を介して、１つ以上の他ノードへ、および／または他ノードから情報を送信および／または受信するよう設定される。そのような通信は無線ノード１０５の内部または外部にある１つ以上のアンテナを介して行われうる。処理回路７１０は、例えば図８の上述の処理を、メモリ７２０に格納された命令を実行することによって実行するよう設定される。これに関する処理回路７１０は、特定の機能的手段、ユニット、またはモジュールを実施できる。
【００５５】
図１２は１つ以上の他の実施形態にしたがって実施される例示的な無線ノード１０５を示す。図示するように、無線ノード１０５は、様々な機能的手段、ユニット、またはモジュールを、例えば図１１の処理回路７１０を介し、および／またはソフトウェアコードを介して実施する。例えば図８の方法４００を実施するためのこれらの機能的手段、ユニット、またはモジュールは、例えばスケジューリングノード１１０から、無線ノード１０５の識別子を含み、無線ノード１０５に対するリソース割当てを繰り返すサブサブフレーム８２のパターンを指示するＳＰＳ設定メッセージ２１０を受信するための受信ユニットまたはモジュール８１０を含む。ＳＰＳ設定メッセージ２１０に従ってサブサブフレームベースのＳＰＳのために無線ノード１０５を構成するための構成ユニットまたはモジュール８２０も含まれる。
【００５６】
当業者はまた、本明細書の実施形態が、例えば適切なシグナリング媒体を介して発行された１つまたは複数の対応する制御コマンドを介して上記の方法のいずれかを開始する方法および装置をさらに含むことを理解するであろう。
【００５７】
当業者はまた、本明細書の実施形態が対応するコンピュータプログラムをさらに含むことを理解するであろう。
【００５８】
実施形態は、スケジューリングノード１１０または無線ノード１０５の少なくとも１つのプロセッサ上で実行されると、スケジューリングノード１１０または無線ノード１０５に上記のそれぞれの処理のうちのいずれかを実行させる命令を含むコンピュータプログラムをさらに含む。これに関するコンピュータプログラムは、上記の手段またはユニットに対応する１つまたは複数のコードモジュールを含むことができる。
【００５９】
実施形態は、そのようなコンピュータプログラムを含むキャリアをさらに含む。このキャリアは、電子信号、光信号、無線信号、またはコンピュータ可読記憶媒体のうちの１つを含んでもよい。
【００６０】
これに関して、本明細書の実施形態は、非一時的コンピュータ可読（記憶または記録）媒体に格納され、スケジューリングノード１１０または無線ノード１０５のプロセッサによって実行されると、スケジューリングノード１１０または無線ノード１０５に上記のように実行させる命令を含むコンピュータプログラム製品も含む。
【００６１】
実施形態は、コンピュータプログラム製品がスケジューリングノード１１０または無線ノード１０５によって実行されるときに本明細書の実施形態のいずれかのステップを実行するためのプログラムコード部分を含むコンピュータプログラム製品をさらに含む。このコンピュータプログラム製品は、コンピュータ可読記録媒体に格納されてもよい。
【００６２】
本開示は、その本質的な特徴から逸脱することなく、本明細書に具体的に記載されたもの以外の他の方法で実施することができる。例えば、追加の物理ユニットまたはソフトウェアモジュールを様々な実施形態に含めて、上述の追加機能のいずれかを実行することができる。本実施形態は、あらゆる点で例示的であり限定的ではないと見なされるべきであり、添付の特許請求の範囲の意味および等価の範囲内にあるすべての変更はその中に包含されることが意図される。
【図１】
2019533963.tif 000003
【図２】
2019533963.tif 000004
【図３】
2019533963.tif 000005
【図４】
2019533963.tif 000006
【図５】
2019533963.tif 000007
【図６】
2019533963.tif 000008
【図７】
2019533963.tif 000009
【図８】
2019533963.tif 000010
【図９】
2019533963.tif 000011
【図１０】
2019533963.tif 000012
【図１１】
2019533963.tif 000013
【図１２】
2019533963.tif 000014
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
スケジューリングノード（１１０）であって、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信（３２０）するよう設定される送信モジュール（６２０）を有し、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示する、ことを特徴とするスケジューリングノード（１１０）。
【請求項２】
請求項１に記載のスケジューリングノード（１１０）であって、サブサブフレームベースのＳＰＳ用に前記無線ノード（１０５）を設定することは、サブフレームベースのリソース割当てが更なるパターンに従って繰り返すサブフレームベースのＳＰＳと同時に、前記無線ノード（１０５）をサブサブフレームベースのＳＰＳ用に設定することを含むことを特徴とするスケジューリングノード（１１０）。
【請求項３】
請求項１または２に記載のスケジューリングノード（１１０）であって、前記ＳＰＳ設定メッセージ（２１０）は、前記無線ノード（１０５）に、前記リソース割当て間の任意の重複に関して、前記無線ノード（１０５）の前記リソース割当てまたはサブフレームベースのリソース割当てのいずれかを優先するよう命令することを特徴とするスケジューリングノード（１１０）。
【請求項４】
請求項１から３のいずれか１項に記載のスケジューリングノード（１１０）であって、前記ＳＰＳ設定メッセージ（２１０）はさらに、前記リソース割当てを繰り返すサブサブフレーム（８２）の前記パターンを指示する期間をさらに含むことを特徴とするスケジューリングノード（１１０）。
【請求項５】
請求項１から４のいずれか１項に記載のスケジューリングノード（１１０）であって、サブフレーム（６２）内の特定のサブサブフレーム（８２）の位置に基づいて、前記特定のサブサブフレーム（８２）上でのデータ送信（２４０）に対応するハイブリッド自動再送要求（ＨＡＲＱ）プロセス識別子を判定するよう設定される判定モジュールをさらに含むことを特徴とするスケジューリングノード（１１０）。
【請求項６】
請求項５に記載のスケジューリングノード（１１０）であって、前記判定モジュールは、前記ＨＡＲＱプロセス識別子を、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
に従って判定するよう設定され、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓは前記サブフレーム（６２）内のサブサブフレーム（８２）の数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造（６０）内の前記サブフレーム（６２）のインデックスであり、
ｓｓｆ＿ｐｏｓは前記サブフレーム（６２）内の前記特定のサブサブフレーム（８２）のインデックスであることを特徴とするスケジューリングノード（１１０）。
【請求項７】
請求項１から６のいずれか１項に記載のスケジューリングノード（１１０）であって、ショート物理ダウンリンク制御チャネル（ｓＰＤＣＣＨ）のサブサブフレーム（８２）上で前記無線ノード（１０５）にＨＡＲＱフィードバックを送信するよう設定される送信モジュールをさらに含み、前記ＨＡＲＱフィードバックは前記無線ノード（１０５）の前記識別子に宛てられ、１にセットされた新たなデータインジケータをさらに含むことを特徴とするスケジューリングノード（１１０）。
【請求項８】
請求項１から７のいずれか１項に記載のスケジューリングノード（１１０）であって、前記無線ノード（１０５）に前記ＳＰＳ設定メッセージ（２１０）にしたがってサブサブフレームベースＳＰＳ用のＳＰＳをアクティブ化するよう命令するＳＰＳアクティブ化メッセージ（２２０）を、前記無線ノード（１０５）に送信するよう設定される送信モジュールをさらに含み、前記ＳＰＳアクティブ化メッセージ（２２０）は前記無線ノード（１０５）の前記識別子に宛てられた前記リソース割当てを含むことを特徴とするスケジューリングノード（１１０）。
【請求項９】
請求項８に記載のスケジューリングノード（１１０）であって、前記ＳＰＳアクティブ化メッセージ（２２０）は前記無線ノード（１０５）にＳＰＳがアクティブ化されたサブサブフレーム（８２）の開始または後続でＳＰＳアクティブ化メッセージ（２２０）の肯定応答を送信するようさらに命令し、前記スケジューリングノード（１１０）はさらに前記ＳＰＳアクティブ化メッセージ（２２０）にしたがってメディアアクセス制御（ＭＡＣ）制御エレメントで前記ＳＰＳアクティブ化メッセージ（２２０）の前記肯定応答を受信するよう設定される受信モジュールをさらに含むことを特徴とするスケジューリングノード（１１０）。
【請求項１０】
スケジューリングノード（１１０）によって実施される送信スケジューリングの方法（３００）であって、
サブサブフレーム動作用に設定された無線ノード（１０５）に、前記無線ノード（１０５）をサブサブフレームベースの半永続スケジューリング（ＳＰＳ）用に設定するＳＰＳ設定メッセージ（２１０）を送信すること（３２０）を含み、
前記ＳＰＳ設定メッセージ（２１０）は前記無線ノード（１０５）の識別子を含み、前記無線ノード（１０５）に対するリソース割当てを繰り返すサブサブフレーム（８２）のパターンを指示することを特徴とする方法。
【請求項１１】
無線ノード（１０５）であって、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信（４１０）するよう設定される受信モジュール（８１０）と、
前記ＳＰＳ設定メッセージ（２１０）にしたがってサブサブフレームベースのＳＰＳ用に無線ノード（１０５）を設定（４２０）するよう設定される設定モジュール（８２０）と、
を有することを特徴とする無線ノード（１０５）。
【請求項１２】
請求項１１に記載の無線ノード（１０５）であって、前記設定モジュール（８２０）は、サブフレームベースのリソース割当てが更なるパターンに従って繰り返すサブフレームベースのＳＰＳと同時に、前記無線ノード（１０５）をサブサブフレームベースのＳＰＳ用に設定するよう設定されることを特徴とする無線ノード（１０５）。
【請求項１３】
請求項１１または１２に記載の無線ノード（１０５）であって、前記ＳＰＳ設定メッセージ（２１０）は、前記無線ノード（１０５）に、前記リソース割当て間の任意の重複に関して、前記無線ノード（１０５）の前記リソース割当てまたはサブフレームベースのリソース割当てのいずれかを優先するよう命令することを特徴とする無線ノード（１０５）。
【請求項１４】
請求項１１から１３のいずれか１項に記載の無線ノード（１０５）であって、前記ＳＰＳ設定メッセージ（２１０）はさらに、前記リソース割当てを繰り返すサブサブフレーム（８２）の前記パターンを指示する期間をさらに含むことを特徴とする無線ノード（１０５）。
【請求項１５】
請求項１１から１４のいずれか１項に記載の無線ノード（１０５）であって、特定のサブサブフレーム（８２）上でのデータ送信（２４０）に対応するハイブリッド自動再送要求（ＨＡＲＱ）プロセス識別子を判定するよう設定される判定モジュールをさらに含み、前記判定モジュールは、サブフレーム（６２）内の前記特定のサブサブフレーム（８２）の位置に基づいて前記ＨＡＲＱプロセス識別子を判定することを特徴とする無線ノード（１０５）。
【請求項１６】
請求項１５に記載の無線ノード（１０５）であって、前記判定モジュールは、前記ＨＡＲＱプロセス識別子を、
ＨＡＲＱ  Ｐｒｏｃｅｓｓ  ＩＤ＝［ｆｌｏｏｒ（ＣＵＲＲＥＮＴ＿ＴＴＩ／（ｓｅｍｉＰｅｒｓｉｓｔＳｃｈｅｄＩｎｔｅｒｖａｌＵＬ＊ＳＳＦｓ））］  ｍｏｄｕｌｏ  ｎｕｍｂｅｒＯｆＣｏｎｆＵｌＳＰＳ−Ｐｒｏｃｅｓｓｅｓ
にしたがって判定するよう設定され、
ＣＵＲＲＥＮＴ＿ＴＴＩ＝［（ＳＦＮ＊１０＊ＳＳＦｓ）＋（ｓｕｂ＿ｎｕｍ＊ＳＳＦｓ）＋ｓｓｆ＿ｐｏｓ］  であり、
ｓｅｍｉＰｅｒｓｉｓｔＳｃｈｅｄＩｎｔｅｒｖａｌＵＬ  はサブフレームベースのＳＰＳ期間（２３０）であり、
ＳＳＦｓは前記サブフレーム（６２）内のサブサブフレーム（８２）の数であり、
ｎｕｍｂｅｒＯｆＣｏｎｆＵｌＳＰＳ−Ｐｒｏｃｅｓｓｅｓは設定されたＨＡＲＱプロセス識別子の総数であり、
ＳＦＮはシステムフレーム番号であり、
ｓｕｂ＿ｎｕｍはより大きなフレーム構造（６０）内の前記サブフレーム（６２）のインデックスであり、
ｓｓｆ＿ｐｏｓは前記サブフレーム（６２）内の前記特定のサブサブフレーム（８２）のインデックスであることを特徴とする無線ノード（１０５）。
【請求項１７】
請求項１１から１６のいずれか１項に記載の無線ノード（１０５）であって、ショート物理ダウンリンク制御チャネル（ｓＰＤＣＣＨ）のサブサブフレーム（８２）上で前記スケジューリングノード（１１０）からＨＡＲＱフィードバックを受信するよう設定される受信モジュールをさらに含み、前記ＨＡＲＱフィードバックは前記無線ノード（１０５）の前記識別子に宛てられ、１にセットされた新たなデータインジケータをさらに含むことを特徴とする無線ノード（１０５）。
【請求項１８】
請求項１１から１７のいずれか１項に記載の無線ノード（１０５）であって、
前記無線ノード（１０５）に前記ＳＰＳ設定メッセージ（２１０）にしたがってサブサブフレームベースＳＰＳ用のＳＰＳをアクティブ化するよう命令するＳＰＳアクティブ化メッセージ（２２０）を、前記スケジューリングノード（１１０）から受信するよう設定される受信モジュールであって、前記ＳＰＳアクティブ化メッセージ（２２０）は前記無線ノード（１０５）の前記識別子に宛てられた前記リソース割当てを含む、受信モジュールと、
前記リソース割当ておよび前記パターンにしたがって前記スケジューリングノード（１１０）から受信した送信（２４０）を復号するよう設定される復号モジュールと、
をさらに含むことを特徴とする無線ノード（１０５）。
【請求項１９】
請求項１８に記載の無線ノード（１０５）であって、前記ＳＰＳアクティブ化メッセージ（２２０）は前記無線ノード（１０５）にＳＰＳがアクティブ化されたサブサブフレーム（８２）の開始または後続でＳＰＳアクティブ化メッセージ（２２０）の肯定応答を送信するようさらに命令し、前記無線ノード（１０５）はさらに前記ＳＰＳアクティブ化メッセージ（２２０）にしたがってメディアアクセス制御（ＭＡＣ）制御エレメントで前記ＳＰＳアクティブ化メッセージ（２２０）の前記肯定応答を送信するよう設定される送信モジュールをさらに含むことを特徴とする無線ノード（１０５）。
【請求項２０】
無線ノード（１０５）によって実施される送信スケジューリングの方法（４００）であって、
スケジューリングノード（１１０）から、前記無線ノード（１０５）の識別子を含み、前記無線ノード（１０５）に対するリソース割当てを繰り返すサブサブフレーム（８２）のパターンを指示する、半永続スケジューリング（ＳＰＳ）設定メッセージ（２１０）を受信すること（４１０）と、
前記ＳＰＳ設定メッセージ（２１０）にしたがってサブサブフレームベースのＳＰＳ用に無線ノード（１０５）を設定すること（４２０）と、を含むことを特徴とする方法。
【請求項２１】
ネットワークノードの少なくとも１つのプロセッサで実行される場合に、前記ネットワークノードに、請求項１から９のいずれか１項に係る前記スケジューリングノード（１１０）または請求項１１から１９の何れか１項に係る前記無線ノード（１０５）として機能させるための命令を含むコンピュータプログラム。
【請求項２２】
請求項２１に記載のコンピュータプログラムを格納するコンピュータ可読記憶媒体。
【国際調査報告】
2019533963.tif 000015
2019533963.tif 000016
2019533963.tif 000017
2019533963.tif 000018